(57)【要約】【課題】画質や音質を使用される国の国民の好みに合わせて自動的に設定できる画像表示装置、音声出力装置及び画像音声出力装置を提供する。【解決手段】画像を表示する表示部４と音声を出力するスピーカ５とを備えるテレビジョン装置１００において、商用電源電圧を検出する交流電圧検知回路１と、表示部４に表示される画像の画質及びスピーカ５に出力される音声の音質の設定条件と国ごとの商用電源電圧とを対応付けて記憶する設定条件記憶手段（記憶部９，設定条件データファイル９Ａ）と、検出された商用電源電圧から、設定条件記憶手段を検索して、設定条件を抽出し、抽出した設定条件に基づいて画質及び音質の設定を行う設定手段（ＣＰＵ７，設定プログラム９Ｃ）と、設定手段によって抽出された設定条件を既定条件として記憶する既定条件記憶手段（記憶部９，既定条件データファイル９Ｂ）と、を備えた。【選択図】  図１
2007005952.tif 000002
【特許請求の範囲】
【請求項１】
画像を表示する表示部と音声を出力する音声出力部とを備える画像音声出力装置において、
商用電源電圧を検出する検出部と、
前記表示部に表示される画像の画質及び前記音声出力部に出力される音声の音質の設定条件と国ごとの商用電源電圧とを対応付けて記憶する設定条件記憶手段と、
前記検出部に検出された商用電源電圧から、前記設定条件記憶手段を検索して、前記設定条件を抽出し、抽出した前記設定条件に基づいて前記表示部に表示される画像の画質及び前記音声出力部に出力される音声の音質の設定を行う設定手段と、
前記設定手段によって抽出された前記設定条件を既定条件として記憶する既定条件記憶手段と、
を備えることを特徴とする画像音声出力装置。
【請求項２】
画像を表示する表示部を備える画像表示装置において、
商用電源電圧を検出する検出部と、
前記表示部に表示される画像の画質の設定条件と国ごとの商用電源電圧とを対応付けて記憶する設定条件記憶手段と、
前記検出部に検出された商用電源電圧から前記設定条件記憶手段を検索して、前記設定条件を抽出し、抽出した前記設定条件に基づいて前記表示部に表示される画像の画質の設定を行う設定手段と、
を備えることを特徴とする画像表示装置。
【請求項３】
音声を出力する音声出力部を備える音声出力装置において、
商用電源電圧を検出する検出部と、
前記音声出力部に出力される音声の音質の設定条件と国ごとの商用電源電圧とを対応付けて記憶する設定条件記憶手段と、
前記検出部に検出された商用電源電圧から、前記設定条件記憶手段を検索して、前記設定条件を抽出し、抽出した前記設定条件に基づいて前記音声出力部に出力される音声の音質の設定を行う設定手段と、
を備えることを特徴とする音声出力装置。
【請求項４】
前記設定手段によって抽出された前記設定条件を既定条件として記憶する既定条件記憶手段を備えることを特徴とする請求項２に記載の画像表示装置。
【請求項５】
前記設定手段によって抽出された前記設定条件を既定条件として記憶する既定条件記憶手段を備えることを特徴とする請求項３に記載の音声出力装置。
【発明の詳細な説明】
【技術分野】
【０００１】
本発明は、画像表示装置、音声出力装置及び画像音声出力装置に関する。
【背景技術】
【０００２】
従来、各国によって異なるカラー放送方式の放送信号に基づく映像を表示するため、商用電源電圧が各国によって異なることを利用し、使用される国の商用電源電圧を検出することにより、使用される国のカラー放送方式を自動的に判別して表示方式を自動設定する映像表示装置が知られている（例えば、特許文献１）。
【０００３】
また、商用電源電圧を検出して、商用電源電圧が異なった際に生じるスイッチングノイズが画面に影響を与えないようにしたＣＲＴディスプレイも知られている（例えば、特許文献２）。
【特許文献１】特開２００１−１３６５３８号公報
【特許文献２】特開２００１−１２５５２３号公報
【発明の開示】
【発明が解決しようとする課題】
【０００４】
ところで、画質や音質の好みは国や人種によって微妙に異なるが、複数の国に出荷される画像表示装置や音声出力装置の場合、出荷された国の国民の好みの画質や音質に予め設定することはできないという問題があった。上記特許文献の技術は、カラー放送方式に対応した表示方式の自動設定又はスイッチングの自動設定を行うものであり、当該問題を解決することができない。
【０００５】
本発明の課題は、画質や音質を使用される国の国民の好みに合わせて自動的に設定できる画像表示装置、音声出力装置及び画像音声出力装置を提供することである。
【課題を解決するための手段】
【０００６】
請求項１に記載の発明は、画像を表示する表示部と音声を出力する音声出力部とを備える画像音声出力装置において、
商用電源電圧を検出する検出部と、
前記表示部に表示される画像の画質及び前記音声出力部に出力される音声の音質の設定条件と国ごとの商用電源電圧とを対応付けて記憶する設定条件記憶手段と、
前記検出部に検出された商用電源電圧から、前記設定条件記憶手段を検索して、前記設定条件を抽出し、抽出した前記設定条件に基づいて前記表示部に表示される画像の画質及び前記音声出力部に出力される音声の音質の設定を行う設定手段と、
前記設定手段によって抽出された前記設定条件を既定条件として記憶する既定条件記憶手段と、
を備えることを特徴としている。
【０００７】
請求項２に記載の発明は、画像を表示する表示部を備える画像表示装置において、
商用電源電圧を検出する検出部と、
前記表示部に表示される画像の画質の設定条件と国ごとの商用電源電圧とを対応付けて記憶する設定条件記憶手段と、
前記検出部に検出された商用電源電圧から前記設定条件記憶手段を検索して、前記設定条件を抽出し、抽出した前記設定条件に基づいて前記表示部に表示される画像の画質の設定を行う設定手段と、
を備えることを特徴としている。
【０００８】
請求項３に記載の発明は、音声を出力する音声出力部を備える音声出力装置において、
商用電源電圧を検出する検出部と、
前記音声出力部に出力される音声の音質の設定条件と国ごとの商用電源電圧とを対応付けて記憶する設定条件記憶手段と、
前記検出部に検出された商用電源電圧から、前記設定条件記憶手段を検索して、前記設定条件を抽出し、抽出した前記設定条件に基づいて前記音声出力部に出力される音声の音質の設定を行う設定手段と、
を備えることを特徴としている。
【０００９】
請求項４に記載の発明は、請求項２に記載の画像表示装置において、
前記設定手段によって抽出された前記設定条件を既定条件として記憶する既定条件記憶手段を備えることを特徴としている。
【００１０】
請求項５に記載の発明は、請求項３に記載の音声出力装置において、
前記設定手段によって抽出された前記設定条件を既定条件として記憶する既定条件記憶手段を備えることを特徴としている。
【発明の効果】
【００１１】
請求項１に記載の発明によれば、設定条件記憶手段により、表示部に表示される画像の画質及び音声出力部に出力される音声の音質の設定条件と国ごとの商用電源電圧とが対応付けて記憶され、設定手段により、検出部に検出された商用電源電圧から、設定条件記憶手段が検索され、設定条件が抽出され、抽出された設定条件に基づいて表示部に表示される画像の画質及び音声出力部に出力される音声の音質の設定がされるので、表示部に表示される画像の画質及び音声出力部に出力される音声の音質が出荷された国民の好みの画質及び音質に予め設定されることとなって、出荷された国民の好みの画質及び音質に自動的に設定できる画像音声出力装置を提供できる。
【００１２】
また、既定条件記憶手段により、設定手段によって抽出された設定条件が既定条件として記憶されるので、例えば、ユーザの海外への引越しなどに伴って画像音声出力装置が異なる国で使用されることとなっても、既定条件として記憶されている設定条件に基づいて、画質及び音質が設定されるので、ユーザは好みの画質及び音質を楽しむことができる。
【００１３】
請求項２に記載の発明によれば、設定条件記憶手段により、表示部に表示される画像の画質の設定条件と国ごとの商用電源電圧とが対応付けて記憶され、設定手段により、検出部に検出された商用電源電圧から設定条件記憶手段が検索され、設定条件が抽出され、抽出された設定条件に基づいて表示部に表示される画像の画質の設定がされるので、表示部に表示される画像の画質が出荷された国民の好みの画質に予め設定されることとなって、出荷された国民の好みの画質に自動的に設定できる画像表示装置を提供できる。
【００１４】
請求項３に記載の発明によれば、設定条件記憶手段により、音声出力部に出力される音声の音質の設定条件と国ごとの商用電源電圧とが対応付けて記憶され、設定手段により、検出部に検出された商用電源電圧から、設定条件記憶手段が検索され、設定条件が抽出され、抽出された設定条件に基づいて音声出力部に出力される音声の音質の設定がされるので、音声出力部に出力される音声の音質が出荷された国民の好みの音質に予め設定されることとなって、出荷された国民の好みの音質に自動的に設定できる音声出力装置を提供できる。
【００１５】
請求項４に記載の発明によれば、既定条件記憶手段により、設定手段によって抽出された設定条件が既定条件として記憶されるので、例えば、ユーザの海外への引越しなどに伴って画像表示装置が異なる国で使用されることとなっても、既定条件として記憶されている設定条件に基づいて、画質が設定されるので、ユーザは好みの画質を楽しむことができ
る。
【００１６】
請求項５に記載の発明によれば、既定条件記憶手段により、設定手段によって抽出された設定条件が既定条件として記憶されるので、例えば、ユーザの海外への引越しなどに伴って音声出力装置が異なる国で使用されることとなっても、既定条件として記憶されている設定条件に基づいて、音質が設定されるので、ユーザは好みの音質を楽しむことができる。
【発明を実施するための最良の形態】
【００１７】
以下、図を参照して、本発明に係る画像音声出力装置を実施するための最良の形態を詳細に説明する。本発明に係る画像音声出力装置としてテレビジョン装置１００を例示して説明する。
【００１８】
まず、本発明に係るテレビジョン装置１００の構成について説明する。本発明に係るテレビジョン装置１００は、図１に示すように、検出部としての交流電圧検知回路１，電源回路２，受信部３，表示部４，音声出力部としてのスピーカ５，制御部６等を備えて構成される。
【００１９】
交流電圧検知回路１は、商用電源２００及び制御部６と接続され、該商用電源２００の電源電圧を検知し、検知信号を制御部６に出力する。商用電源電圧は、国ごとに異なり、例えば、日本ではＡＣ１００Ｖ，米国ではＡＣ１２０Ｖ，中国ではＡＣ２２０Ｖである。また、交流電圧検知回路１は、電源回路２と接続され、商用電源２００から供給される交流電流は、交流電圧検知回路１を経て、電源回路２へと流入する。
【００２０】
電源回路２は、例えば、交流電圧検知回路１を経て商用電源２００から供給される交流電流を直流電流に変換するとともに、制御部６に流入可能な電圧に調整する。
【００２１】
受信部３は、例えば、アンテナ（図示省略）やチューナ（図示省略）等を備えて構成され、テレビジョン放送波を受信して、該テレビジョン放送波から所定の番組の放送波を選択受信する。
【００２２】
表示部４は、例えば、ＣＲＴ（Cathode  Ray  Tube）や液晶表示パネル等であり、制御部６から出力される画像信号に基づいて画像を表示する。
【００２３】
スピーカ５は、制御部６から出力される音声信号に基づいて音声を出力する。
【００２４】
制御部６は、図１に示すように、ＣＰＵ（Central  Processing  Unit）７，ＲＡＭ（Random  Access  Memory）８，記憶部９等を備えて構成される。
【００２５】
制御部６は、交流電圧検知回路１，電源回路２，受信部３，表示部４，スピーカ５等と接続され、テレビジョン装置１００の各部の制御を行う。
【００２６】
ＣＰＵ７は、記憶部９に格納された処理プログラム等を読み出して、ＲＡＭ８に展開して実行することにより、テレビジョン装置１００全体の制御を行う。
【００２７】
ＲＡＭ８は、ＣＰＵ７により実行された処理プログラム等を、ＲＡＭ８内のプログラム格納領域に展開するとともに、入力データや上記処理プログラムが実行される際に生じる処理結果等をデータ格納領域に格納する。
【００２８】
記憶部９は、例えば、プログラムやデータ等が予め記憶されている記録媒体（図示せず）を有しており、この記録媒体は、例えば、半導体メモリ等で構成されている。また、記
憶部９は、ＣＰＵ７がテレビジョン装置１００全体を制御する機能を実現させるための各種データ，各種処理プログラム，これらプログラムの実行により処理されたデータ等を記憶する。より具体的には、記憶部９は、例えば、図１に示すように、設定条件データファイル９Ａ，既定条件データファイル９Ｂ，設定プログラム９Ｃ等を格納している。
【００２９】
設定条件データファイル９Ａは、例えば、表示部４に表示される画像の画質及びスピーカ５に出力される音声の音質の設定条件と国ごとの商用電源電圧とを対応付けて記憶している。ここで、設定条件とは、各国民毎の好みの画質の画像及び音質の音声を表示部４及びスピーカ５に出力させるための設定条件である。各国民毎の好みの画質とは、例えば、画像の明るさ、コントラスト（輝度）、カラーバランス（色合い）、シャープネス等をいい、各国民毎の好みの音質とは、例えば、低音と高音のバランス等をいい、より具体的に音楽で言えば、ジャズ系、ポップス系、クラシック系等である。記憶部９は、かかる設定条件データファイル９Ａを格納することにより、設定条件記憶手段として機能する。
【００３０】
既定条件データファイル９Ｂは、例えば、ＣＰＵ７が後述する設定プログラム９Ｃを実行することにより設定された画質及び音声の設定条件を既定条件として記憶している。記憶部９は、かかる既定条件データファイル９Ｂを格納することにより、既定条件記憶手段として機能する。
【００３１】
設定プログラム９Ｃは、例えば、ＣＰＵ７に、交流電圧検知回路１に検出された商用電源電圧に基づいて設定条件データファイル９Ａを検索し、該商用電源電圧に対応する設定条件を抽出し、抽出した設定条件に基づいて、表示部４に表示される画像の画質及びスピーカ５に出力される音声の音質を設定するとともに、抽出した設定条件を既定条件データファイル９Ｂに記憶させる機能を実現させるプログラムである。より具体的には、設定プログラム９Ｃは、例えば、ＣＰＵ７に、交流電圧検知回路１から入力される検知信号に基づいて設定条件データファイル９Ａを検索し、交流電圧検知回路１により検知された商用電源電圧に対応する設定条件を抽出し、抽出した設定条件に基く画質の画像信号及び音質の音声信号を表示部４及びスピーカ５に出力するとともに、抽出した設定条件を既定条件として既定条件データファイル９Ｂに記憶させる機能を実現させるプログラムである。ＣＰＵ７は、かかる設定プログラム９Ｃを実行することにより、設定手段として機能する。
【００３２】
次に、上述のような構成の本発明に係るテレビジョン装置１００の動作について、図２に示すフローチャートを参照しながら説明する。
【００３３】
テレビジョン装置１００の電源がオンされると、まず、ＣＰＵ７は、既定条件データファイル９Ｂを検索し、規定条件が記憶されているか否かを判断する（ステップＳ１）。
【００３４】
ステップＳ１において、ＣＰＵ７は、既定条件データファイル９Ｂに既定条件が記憶されていると判断した場合には（ステップＳ１；Ｙｅｓ）、本処理を終了する。
【００３５】
ステップＳ１において、ＣＰＵ７が既定条件が記憶されていないと判断した場合には（ステップＳ１；Ｎｏ）、交流電圧検知回路１により商用電源電圧が検出されて検知信号がＣＰＵ７へ出力される（ステップＳ２）。
【００３６】
次に、ＣＰＵ７は、設定プログラム９Ｃを実行することにより、交流電圧検知回路１に検出された商用電源電圧に基づいて、設定条件データファイル９Ａを検索し、該商用電源電圧に対応する設定条件を抽出する（ステップＳ３）。
【００３７】
次に、ＣＰＵ７は、抽出した設定条件に基づいて、表示部４に表示される画像の画質及びスピーカ５に出力される音声の音質を設定する（ステップＳ４）。
【００３８】
次に、ＣＰＵ７は、ステップＳ４において画質及び音質の設定に用いた設定条件を既定
条件として、既定条件データファイル９Ｂに記憶させ（ステップＳ５）、本処理を終了する。
【００３９】
以上に説明した、本発明に係るテレビジョン装置１００によれば、表示部４に表示される画像の画質及びスピーカ５に出力される音声の音質の設定条件と国ごとの商用電源電圧とが対応付けて設定条件データファイル９Ａに記憶され、ＣＰＵ７が設定プログラム９Ｃを実行することにより、交流電圧検知回路１に検出された商用電源電圧から、設定条件データファイル９Ａが検索され、設定条件が抽出され、設定条件に基づいて表示部４に表示される画像の画質及びスピーカ５に出力される音声の音質の設定がされるので、表示部４に表示される画像の画質及びスピーカ５に出力される音声の音質が出荷された国民の好みの画質及び音質に予め設定されることとなって、出荷された国民の好みの画質及び音質に自動的に設定できるテレビジョン装置１００を提供できる。
【００４０】
また、ＣＰＵ７が設定プログラム９Ｃを実行することによって設定された設定条件が既定条件として既定条件データファイル９Ｂに記憶されるので、例えば、ユーザの海外への引越しなどに伴ってテレビジョン装置１００が異なる国で使用されることとなっても、既定条件として記憶されている設定条件に基づいて、画質及び音質が設定されるので、ユーザは好みの画質及び音質を楽しむことができる。
【００４１】
なお、本実施形態では、設定条件データファイル９Ａは、設定条件と国ごとの商用電源電圧とを対応付けて記憶することとしたが、これに限られるものではなく、設定条件と地域ごとの商用電源２００の交流電圧の周波数とを記憶してもよい。
【００４２】
また、本実施形態では、表示部４及びスピーカ５を備える画像音声出力装置としてのテレビジョン装置１００を例示して説明したが、表示部４及びスピーカ５のどちらか一方を備える装置であってもよく、例えば、表示部４を備える液晶表示装置等の画像表示装置やスピーカ５を備えるオーディオ装置等の音声出力装置であってもよい。
【図面の簡単な説明】
【００４３】
【図１】本発明に係るテレビジョン装置の要部構成を示すブロック図である。
【図２】本発明に係るテレビジョン装置の動作を示すフローチャートである。
【符号の説明】
【００４４】
１  交流電圧検知回路（検出部）
４  表示部
５  スピーカ（音声出力部）
７  ＣＰＵ（設定手段）
９  記憶部（設定条件記憶手段，既定条件記憶手段）
９Ａ  設定条件データファイル（設定条件記憶手段）
９Ｂ  既定条件データファイル（既定条件記憶手段）
９Ｃ  設定プログラム（設定手段）
１００  テレビジョン装置（画像音声出力装置）
２００  商用電源
【図１】
2007005952.tif 000003
【図２】
2007005952.tif 000004